(57)【要約】【課題】  容器本体が有する嵌合室内へ、大中皿と左右一対の小中皿とを交換可能に嵌合させ、嵌合室後壁の左右両部に付設した板バネで、大中皿に対しては該大中皿後板の左右両部を、小中皿に対しては該小中皿後板の左右方向中間部を押圧して各中皿前板を嵌合室前壁へ圧接可能としたコンパクト容器において、小中皿嵌合時にその小中皿が不用意に脱落しないようにした。【解決手段】  後壁２の左右方向中間部へ左右一対の係止突部11を付設し、嵌合室７左右へそれぞれ小中皿41を嵌合したとき、各小中皿後板43の、隣接する小中皿側端部後面へ上記係止突部11が接するよう設けた。【選択図】  図２
2005237416.tif 000002
【特許請求の範囲】
【請求項１】
大中皿31と、左右一対の小中皿41とを交換可能に収納できる嵌合室７を容器本体１内に有し、該嵌合室後壁の前面左右両部には前方付勢された板バネ10を設けて、該嵌合室内への大中皿嵌合時には両板バネ10先端が大中皿後板33の左右両部を、かつ小中皿41嵌合時には各小中皿後板43の左右方向中間部を、それぞれ押圧して各皿前板が嵌合室前壁へ圧接可能としたコンパクト容器において、
上記後壁２前面の左右方向中間部に左右一対の係止突部11を、嵌合室内への小中皿嵌合時に各小中皿後板43の各端部側部分へ当接可能に付設した
ことを特徴とする中皿交換式コンパクト容器。
【請求項２】
上記大中皿前後両板の左右両部外面と、小中皿前後両板の左右方向中間部外面とにそれぞれ第２係合突条34を、又嵌合室前後両壁の左右両部内面へ第１係合突条９を、それぞれ横設し、大中皿31嵌合時には大中皿の第２係合突条34が、小中皿嵌合時には小中皿の第２係合突条34が、上記第１係合突条９下面へ係合可能に形成した
ことを特徴とする、請求項１記載の中皿交換式コンパクト容器。
【請求項３】
嵌合室前壁を上記大小中皿の各前板32、42よりも低くして、前壁上方へ突出する各前板部分を各中皿への指掛け部46とした
ことを特徴とする、請求項１又は２記載の中皿交換式コンパクト容器。
【請求項４】
上記コンパクト容器を、容器本体後壁２の左右両端部を除く部分後面へ穿設した上面および後面開放の凹部３内へ、蓋体21後部から垂下させた軸支板22を嵌合させてこれ等軸支板と凹部左右外方の後壁部分とを枢着させて該枢着部を中心とする蓋体の回動で容器本体を開閉自在に形成しておき、
上記容器本体後壁２を嵌合室後壁として凹部３前方の後壁部分を薄肉の弾性板で形成し、該弾性板の左右両部へ板バネ10および第１係合突条９を、かつ該弾性板の左右方向中間部へ左右一対の係止突部11を、それぞれ付設した
ことを特徴とする、請求項２又は３記載の中皿交換式コンパクト容器。
【発明の詳細な説明】
【技術分野】
【０００１】
本発明は中皿交換式コンパクト容器に関する。
【背景技術】
【０００２】
中皿交換式のコンパクト容器は多数知られており、例えば中皿収納室下方の容器本体底壁部分を弾性変形可能な押圧部として、該押圧部の押上げで収納室に嵌合させている中皿を上方へ押出し可能に形成した容器がある（特許文献１）。
【０００３】
又市販品として、大中皿と左右一対の小中皿とを交換して収納できる嵌合室を容器本体内に有し、該嵌合室後壁の前面左右両部には前方付勢された板バネを設けて、該嵌合室内へ大中皿を嵌合すると、両板バネ先端が大中皿後板の後面左右両部を、又小中皿を嵌合すると後板後面の左右方向中間部を、それぞれ押圧して各皿の前板が嵌合室前壁へ圧接可能とした容器が知られている。
【特許文献１】特開平８−５６７４５号公報
【発明の開示】
【発明が解決しようとする課題】
【０００４】
上記公知例のうち、後者のコンパクト容器にあっては、大中皿嵌合時にあっては支障がないものの小中皿嵌合時には嵌合室内から外れ易いことがあった。
【０００５】
本発明はこのような欠点を除去して、左右一対の両小中皿嵌合時においてもそれ等の不用意な脱落がなく、又必要に応じて行う小中皿の取外しは容易に行えるよう設けたものである。
【課題を解決するための手段】
【０００６】
第１の手段として、大中皿31と、左右一対の小中皿41とを交換可能に収納できる嵌合室７を容器本体１内に有し、該嵌合室後壁の前面左右両部には前方付勢された板バネ10を設けて、該嵌合室内への大中皿嵌合時には両板バネ10先端が大中皿後板33の左右両部を、かつ小中皿41嵌合時には各小中皿後板43の左右方向中間部を、それぞれ押圧して各皿前板が嵌合室前壁へ圧接可能としたコンパクト容器において、
上記後壁２前面の左右方向中間部に左右一対の係止突部11を、嵌合室内への小中皿嵌合時に各小中皿後板43の各端部側部分へ当接可能に付設した。
【０００７】
第２の手段として、上記第１の手段を有すると共に上記大中皿前後両板の左右両部外面と、小中皿前後両板の左右方向中間部外面とにそれぞれ第２係合突条34を、又嵌合室前後両壁の左右両部内面へ第１係合突条９を、それぞれ横設し、大中皿31嵌合時には大中皿の第２係合突条34が、小中皿嵌合時には小中皿の第２係合突条34が、上記第１係合突条９下面へ係合可能に形成した。
【０００８】
第３の手段として、上記第１又は第２の手段を有すると共に嵌合室前壁を上記大小中皿の各前板32、42よりも低くして、前壁上方へ突出する各前板部分を各中皿への指掛け部46とした。
【０００９】
第４の手段として、上記第２又は第３の手段を有すると共に上記コンパクト容器を、容器本体後壁２の左右両端部を除く部分後面へ穿設した上面および後面開放の凹部３内へ、蓋体21後部から垂下させた軸支板22を嵌合させてこれ等軸支板と凹部左右外方の後壁部分とを枢着させて該枢着部を中心とする蓋体の回動で容器本体を開閉自在に形成しておき、  上記容器本体後壁２を嵌合室後壁として凹部３前方の後壁部分を薄肉の弾性板で形成し、該弾性板の左右両部へ板バネ10および第１係合突条９を、かつ該弾性板の左右方向中間部へ左右一対の係止突部11を、それぞれ付設した。
【発明の効果】
【００１０】
請求項１記載のようにすることで、小中皿嵌合時に各小中皿後板43にそれぞれ板バネ10と係止突部11とが接することとなり、従って板バネだけが接する場合に比べて嵌合室による小中皿嵌合力が強化されることとなって小中皿を外れ難くすることが出来る。又必要に応じて行う小中皿取外しの際は、小中皿前板42を後方へ押込むことで、小中皿後板43は上記係止突部11へ接する後板端部側部分を支点として後方へ移動し、前板のほぼ全体が嵌合室前壁から離れることとなるから、容易に外すことが出来、このようにして不用意には外れ難く、かつ人為的には容易に小中皿41を外すことが可能となる。
【００１１】
請求項２のようにすることで、各第１係合突条９と第２係合突条34との係合と離脱で上記請求項１の効果を更に確実とすることが出来る。
【００１２】
請求項３のようにすることで、各中皿の後方押込みと上方引上げとで、嵌合室内への着脱操作が容易となる。
【００１３】
請求項４記載のようにすることで、小中皿41後方押込み時に、係止突部11を有する嵌合室後壁部分も弾性変形して後方へ移動することとなり、よって請求項１記載の効果を更に高めることが出来る。
【発明を実施するための最良の形態】
【００１４】
以下図面について説明する。まず従来公知の部分について簡単に説明すると、１は容器本体で該容器本体は底板外周から周壁を起立し、その周壁の一部を形成する後壁２の後部には、左右両端部を除いて後面および上下両面開放の凹部３を設けており、又前壁４前面の左右方向中間部には後述蓋体前部から垂下する係合板用のロック部５を設けており、又容器本体内の前後方向中間部には仕切り壁６を設けて該仕切り壁と上記後壁との間を中皿嵌合室７とし、又仕切り壁と前壁４との間を化粧用具収納室８としている。
【００１５】
上記中皿嵌合室７の前後両壁を形成する仕切り壁６と後壁２との各左右両部内面には第１係合突条９を横設し、又後壁の第１係合突条を挾んでその両側には板バネ10を付設している。
【００１６】
21は蓋体で、該蓋体後部からは既述容器本体後壁の凹部３内へ嵌合させる軸支板22を垂下させており、該軸支板と容器本体後壁の左右両端部とを回動可能に枢着し、該枢着部を中心とする回動で蓋体21が容器本体上面を開閉自在としている。蓋体前部からは既述ロック部へ嵌合させる係合板23を垂下する。
【００１７】
既述嵌合室内へは、図１が示す大中皿31と図２が示す左右一対の小中皿41とを、交換可能に嵌合させる。その小中皿41は、同一形状同一大きさであり、大中皿をほぼ左右二等分した形状としている。
【００１８】
大中皿31の前後両板32、33の左右両部外面へは第２係合突条34が付設させてあって、これ等第２係合突条は嵌合室内への嵌合時に既述第１係合突条９下面へ係合可能とする。又小中皿41の前後両板42、43の左右方向中間部外面へも第２係合突条34が付設してあって、嵌合室内嵌合時に第１係合突条９下面へ係合可能としている。
【００１９】
大中皿31および小中皿41は、嵌合室７内へ嵌合させた状態で、板バネ10先端がそれ等大小中皿の後板33、43を前方へ押圧し、各前板32、42を嵌合室前壁としての仕切り壁６へ押付けする。該状態で後板33、43と後壁２との間には、図１、図２が示すように小間隙が形成され、該嵌合状態から各中皿を後方へ押すと各中皿は後方へ移動して上記前方側の第１、第２係合突条９、34の係合が外れ、よって中皿前板32、42を引上げることで中皿を    外すことが可能としている。
【００２０】
本発明にあっては、後壁２の左右方向中間部前面へ、図１、図２が示すように左右一対の係止突部11を縦設した。それ等係止突部は、図１が示すように、その収納室内へ大中皿31を嵌合させた状態では大中皿の後板33へ接することはなく、小中皿41を嵌合させたときにだけ、図２が示すように隣接する小中皿側の後板後面側の端部へ接するよう設けておく。該係止突部11は、図６が示すように小中皿後板へ付設した突設板部44を介して小中皿後板43へ接するよう設けてもよい。
【００２１】
図３、図４が示すように嵌合室底壁の左右方向中間部には、嵌合室の前後両壁から前後中間方向へ隆条14を付設し、又これ等隆条嵌合用の凹部45を小中皿底板下面に設けて、嵌合室右方嵌合用と左方嵌合用とに区別している。上記隆条嵌合用凹部45は大中皿底板下面へも設けることとなる。
【００２２】
既述凹部３前方の後壁部分は薄肉の弾性板とするとよく、又板バネ10および第１係合突条９は、図５が示すようにその弾性板の左右両部の下部に窓12を開孔し、該窓下縁の左右両部から板バネ10を、それ等両板バネ間中央から第１係合突条９付きの弾性板13をそれぞれ起立させて形成するとよい。
【００２３】
嵌合室の前壁は図２、図６が示すようにその左右方向両端部を残してそれ等両端部間中間部分を中皿前板の高さよりも低く形成し、その低く設けた中間部分よりも上方へ突出する大小中皿前板部分を中皿への指掛け部46としている。
【００２４】
上記構成において、図１が示すように嵌合室内へ大中皿31を嵌合させた状態では、嵌合室前後両壁の左右両部内面へ付設した第１係合突条９下面へ、大中皿前後両板の左右両部外面へ付設した第２係合突条34が係合し、かつ後壁２の左右両部へ付設した板バネ10が大中皿後板33の後面を押圧して大中皿前板32を嵌合室前壁としての仕切り壁６へ圧接させており、後壁の左右方向中間部に付設した左右一対の係止突部11は、大中皿後板33との間に間隙をおいて離れている。
【００２５】
よって図１のように大中皿嵌合の場合は、従来例と同様に第１、第２係合突条係合による左右前後四ヶ所での係合と、後壁２左右両部の板バネによる大中皿押圧により大中皿嵌合状態が保持され、その大中皿着脱の場合も従来と同様に行われることとなる。
【００２６】
図２のように小中皿41嵌合の場合は、上記第１、第２係合突条係合により左右一対の各小中皿41がそれぞれ左右方向中間の前後で係合すると共に、後壁２左右両部の板バネ10が、各小中皿後板の左右方向中間部を押圧して各小中皿の嵌合状態を保持するほか、各小中皿隣接側の後板端部の後面へ、上記係止突部11が接することで保持されることとなり、係止突部11が各小中皿隣接側の後板端部側の後面へ接する点が従来と異ることとなる。
【００２７】
該嵌合状態から小中皿前板42を後方へ押すと、嵌合室前壁側での第１、第２係合突条９、34の係合が外れるから、そのまま前板を引上げることで小中皿41を外すことが出来、小中皿装着の場合も始めに小中皿後部を嵌合室内へ入れ、小中皿を後方押込みした状態で小中皿前部を下方へ押込めばよい。
【００２８】
尚図２が示すように、小中皿嵌合状態で、各小中皿の外方側側板と嵌合室側壁15との間にも小間隙が形成されるよう設けておくことが望ましく、このようにすることで、小中皿の着脱が容易となる。
【図面の簡単な説明】
【００２９】
【図１】大中皿嵌合状態を開蓋して示す本発明容器の平面図である。
【図２】小中皿嵌合状態を開蓋して示す図１容器の平面図である。
【図３】図１容器本体の平面図である。
【図４】図３容器本体を前後方向へ切断して示す断面図である。
【図５】図３容器本体を左右方向へ切断して示す断面図である。
【図６】容器本体の嵌合室内へ、小中皿を嵌合させた状態で示す、図２Ａ−Ａ’線を矢示方向へみた拡大断面図である。
【図７】図２Ｂ−Ｂ線を矢示方向へみた拡大断面図である。
【図８】図１Ｃ−Ｃ線を矢示方向へみた拡大断面図である。
【符号の説明】
【００３０】
１  容器本体                        ２  後壁
３  凹部                            ６  仕切り壁（嵌合室前壁）
７  嵌合室                          ９  第１係合突条
10  板バネ                          11  係止突部
21  蓋体                            31  大中皿
32  前板                            33  後板
34  第２係合突条                    41  小中皿
42  前板                            43  後板
【図１】
2005237416.tif 000003
【図２】
2005237416.tif 000004
【図３】
2005237416.tif 000005
【図４】
2005237416.tif 000006
【図５】
2005237416.tif 000007
【図６】
2005237416.tif 000008
【図７】
2005237416.tif 000009
【図８】
2005237416.tif 000010